(57)【要約】【課題】衣類等を容易に引掛けられるような配置にできて機能的であり、ポールハンガー１１自体として又はポールハンガー１１を構成する部材として趣味的要素を含んだ楽しい家具や置物を提供すること。【解決手段】支持台３１に対して垂直に設けられた軸棒３２に上から差し込めるような透孔２２が上面から下面に向けて設けられた柱状のポールハンガー部材２１を、該軸棒３２に上から順次、複数個を差し込んで積み重ねてなるポールハンガー１１であって、複数個の該ポールハンガー部材２１には、その側面に引掛物を引掛けるハンガー枝２３が設けられたものがあり、該ハンガー枝２３には、引掛物を引掛けるのに邪魔にならない程度にその先端から離れた位置に模型２５が配置されているものであることを特徴とするポールハンガー１１、その構成部材を有する卓上置物２７、及び、それに用いられる動物の模型２５。【選択図】図１
2016220818.tif 000002
【特許請求の範囲】
【請求項１】
支持台に対して垂直に設けられた軸棒に上から差し込めるような透孔が上面から下面に向けて設けられた柱状のポールハンガー部材を、該軸棒に上から順次、複数個を差し込んで積み重ねてなるポールハンガーであって、
複数個の該ポールハンガー部材には、その側面に引掛物を引掛けるハンガー枝が設けられたものがあり、該ハンガー枝には、引掛物を引掛けるのに邪魔にならない程度にその先端から離れた位置に模型が配置されているものであることを特徴とするポールハンガー。
【請求項２】
模型が配置されたハンガー枝が設けられた上記ポールハンガー部材は、１個のポールハンガー部材だけを、その下面を下にして平面上に置いたときに倒れないような重さ設計になっている請求項１に記載のポールハンガー。
【請求項３】
上記ハンガー枝が設けられた柱状のポールハンガー部材には、該ポールハンガー部材の側面の真中より下側に、上記ハンガー枝が略横方向に向けて設けられている請求項１又は請求項２に記載のポールハンガー。
【請求項４】
上記模型が、木の枝にとまる又はのる動物の模型である請求項１ないし請求項３の何れかの請求項に記載のポールハンガー。
【請求項５】
上記模型が、バードカービングによって彫刻された鳥の模型である請求項４に記載のポールハンガー。
【請求項６】
上記支持台の上部に該支持台から垂直に設けられた下部ポールが存在し、該下部ポールの上部に、上記ポールハンガー部材が差し込めるようになっている軸棒が垂直に設けられている請求項１ないし請求項５の何れかの請求項に記載のポールハンガー。
【請求項７】
上記ポールハンガー部材が円柱状である請求項１ないし請求項６の何れかの請求項に記載のポールハンガー。
【請求項８】
上記柱状のポールハンガー部材は、その上面又は下面の横差し渡し長さが４ｃｍ以上１５ｃｍ以下であり、その高さが３ｃｍ以上３０ｃｍ以下のものである請求項１ないし請求項７の何れかの請求項に記載のポールハンガー。
【請求項９】
上記ポールハンガー部材が、３個以上２５個以下で差し込まれ積み重ねられてなる請求項１ないし請求項８の何れかの請求項に記載のポールハンガー。
【請求項１０】
請求項１ないし請求項９の何れかの請求項に記載のポールハンガーに用いられるポールハンガー部材を有してなり、該ポールハンガー部材に設けられたハンガー枝に模型が配置されてなるものであることを特徴とする卓上置物。
【請求項１１】
請求項１ないし請求項９の何れかの請求項に記載のポールハンガー用の模型であって、該模型の下部には上記ハンガー枝に固定できるような治具が取り付けられていることを特徴とする木の枝にとまる又はのる動物の模型。
【発明の詳細な説明】
【技術分野】
【０００１】
本発明は、ポールハンガーに関し、更に詳しくは、模型が配置された特定のポールハンガー部材を積み重ねてなるポールハンガーに関するものである。
【背景技術】
【０００２】
ポールハンガーは、家庭では、玄関、食事室、居間、客間等に設置し、オフィスでは、入口付近、応接室、打合室、作業部屋、居室等に設置して、衣類、帽子、マフラー等の身に着けるもの；杖、傘等の持ち運ぶもの；装身具；洗濯物；個々の別のハンガー；等を一時的に引掛けておくのに用いられている（例えば、特許文献１）。
【０００３】
ただ、ポールハンガーを、部屋のコーナー、壁際等に設置した場合、ポールハンガーから衣類等を引掛けるために略横方向に張り出したハンガー枝の幾つかが、部屋側ではなくコーナー側や壁側に向いてしまっている場合があり、衣類等を直ぐに引掛け易いように、ハンガー枝の多くが常に前側（部屋側）に向いていた方がよい場合がある。
しかしながら、縦に複数並んだハンガー枝が、個別に水平方向に自由に回転してその方向を変えられるようになっているものは少なく、上記問題を解決したものはなかった。
【０００４】
また、ポールハンガーは一般に味気ないものが多く、「装飾を施したポールハンガー」等の「衣類等を引掛けるという本来の目的の達成に必須の部材」以外のものが存在するポールハンガーは殆どなかった。
また、ポール部分が幾つかの部材の積み重ねでできていて分解できるようになっているポールハンガーもなく、更には、ポールハンガーを分解して一つ一つを置物として用いることができるものもなかった。
【０００５】
特許文献２には、下の衣類掛け体の上部に他の衣類掛け体を載置する際に、嵌合凸部と嵌合凹部を有する載置部材が開示されている。
また、特許文献３には、３個程度に分割したポール部を、腕木体を介して、ポール部の直立する位置を左右にずらして連結したポールハンガーが開示されている。
しかしながら、特許文献２は、そもそもポールハンガーに関する技術ではなく、特許文献３は、交互にジグザグに連結されるものであり見栄えが悪いものであった。
しかも、特許文献２、３に記載の発明は、何れも小さい又は短いものを縦に延長するためのものに過ぎなかった。
【０００６】
また、特許文献４には、バンド通し孔が設けられたポールを有するハンガー本体に、係止バンドで植木鉢を着脱自由に保持する園芸用のポールハンガーが記載されている。
しかしながら、特許文献４の発明は、バンドで係止するものであり、同じポールハンガー部材を幾つも積み重ねてポールを完成させるものではなかった。
【０００７】
また、上記何れの特許文献に記載のポールハンガーも、引掛ける又は係止するという目的を達成するための必須の部材しかなく、模型を配置する等、装飾を施したポールハンガーではなかった。また、常に分解して用いられ、該部材だけを置物等として使用できるようなものでもなかった。
【０００８】
便利でありつつ趣味的な要素の多い家具への要求は、ますます高くなってきており、かかる公知技術では不十分であった。
【先行技術文献】
【特許文献】
【０００９】
【特許文献１】特開２００９−０５６２７５号公報
【特許文献２】実開平５−０８８３３８号公報
【特許文献３】実開平２−１２１８７５号公報
【特許文献４】特開２００１−０２９１９３号公報
【発明の概要】
【発明が解決しようとする課題】
【００１０】
本発明は上記背景技術に鑑みてなされたものであり、その課題は、ハンガー枝を衣類等を容易に引掛けられるような配置（方向）にできて機能的であり、また、ポールハンガー自体として又はポールハンガーを構成する部材として趣味的要素を含んだ楽しい家具や置物を提供することにある。
【課題を解決するための手段】
【００１１】
本発明者は、上記の課題を解決すべく鋭意検討を重ねた結果、柱状のポールハンガー部材を複数個積み重ねてポールハンガーのポールを構成すれば、上記課題を解決できることを見出した。
また、衣類等を引掛けるハンガー枝に模型を配置すれば、ポールハンガーともマッチングして上記課題を解決すると共に、該模型の置き換えや該ハンガー枝の差し替えができるので、ますます楽しいものとなることを見出して本発明を完成するに至った。
【００１２】
すなわち、本発明は、支持台に対して垂直に設けられた軸棒に上から差し込めるような透孔が上面から下面に向けて設けられた柱状のポールハンガー部材を、該軸棒に上から順次、複数個を差し込んで積み重ねてなるポールハンガーであって、
複数個の該ポールハンガー部材には、その側面に引掛物を引掛けるハンガー枝が設けられたものがあり、該ハンガー枝には、引掛物を引掛けるのに邪魔にならない程度にその先端から離れた位置に模型が配置されているものであることを特徴とするポールハンガーを提供するものである。
【００１３】
また、本発明は、上記のポールハンガーに用いられるポールハンガー部材を有してなり、該ポールハンガー部材に設けられたハンガー枝に模型が配置されてなるものであることを特徴とする卓上置物を提供するものである。
【００１４】
また、本発明は、上記のポールハンガー用の模型であって、該模型の下部には上記ハンガー枝に固定できるような治具が取り付けられていることを特徴とする木の枝にとまる又はのる動物の模型を提供するものである。
【発明の効果】
【００１５】
本発明によれば、前記問題点と課題を解決し、家具として機能的であり、しかも趣味的要素を含む楽しいポールハンガーを提供できる。
すなわち、本発明のポールハンガーでは、それを構成する複数個のポールハンガー部材が垂直の軸棒を中心に回転するので、衣類等を引掛けるハンガー枝の幾つかを、適宜手前側に向けて、衣類等を引掛け易いようにしておくことができる。
それによって、ポールハンガーを部屋のコーナーや壁際等に設置した場合、ハンガー枝の多くが部屋側ではなくコーナー側や壁側に向いてしまっていることを防げる。
【００１６】
更には、該ポールハンガーから略横方向に設けられたハンガー枝に模型が配されているので、家具として楽しむことができる。また、該模型を木の枝にとまる又はのる動物の模型とすることによって、ポールハンガー自体が樹木のような形態をしているので、それにマッチングして楽しいものとなる。
また、ポールハンガーを構成する複数のポールハンガー部材が、それぞれ交換可能であるため、そのときの気分で、例えば、「模型Ａが配置されたハンガー枝」が設けられたポールハンガー部材、「模型Ａ以外の別の模型（例えば、模型Ｂ、Ｃ、Ｄ）が配置されたハンガー枝」が設けられたポールハンガー部材、「模型が配置されていないハンガー枝」が設けられたポールハンガー部材を、適宜組み合わせて積み重ねて使用することによって、毎回異なった趣向が楽しめるポールハンガーを提供できる。
【００１７】
また、ポールハンガーのポール部分が、複数のポールハンガー部材に分解できるようになっているので（ポールハンガー部材を軸棒から抜き取れるようになっているので）、例えば、「ハンガー枝に模型が配置されたポールハンガー部材」の一つ一つを、テーブル、食卓、机上等に置いて、インテリアや卓上置物として楽しむこともできる。
更には、模型の種類を変化させたポールハンガー部材を、本発明のポールハンガー用として譲渡・販売、作製等すれば、多くの種類の模型を順次入手・順次入替して、バラエティに富んだポールハンガーを独自に創造できる。
【００１８】
また、模型の対象を、木の枝にとまる又はのる動物にしたり、特に鳥にしたりすることによって、動物（鳥）の名前も覚えられ、教育的な用途にも使用でき、例えばバードウォッチングをしたときでも、日頃から多くの鳥を見慣れているので名前も分かりより楽しめる。
該模型を「バードカービングによって彫刻された鳥の模型」にすることによって、ポールハンガー自体が樹木のような形態をしていることもあり、よりマッチングして楽しいものとなる。特に、ポールハンガーの素材を木にすれば、尚更バードカービングとマッチングし、アートインライフの実践となる。
【図面の簡単な説明】
【００１９】
【図１】本発明のポールハンガーの一例を示す概略斜視図である。
【図２】本発明のポールハンガーを構成するために積み重ねるポールハンガー部材の一例を示す概略斜視図である（ハンガー枝を設けていないもの）。
【図３】本発明のポールハンガーを構成する「模型が配置されたポールハンガー部材」の一例、又は、本発明の卓上置物の一例を示す概略斜視図である。
【図４】本発明のポールハンガーの一例を示す写真である。
【図５】本発明における「模型が配置されたポールハンガー部材」、又は、本発明の卓上置物の模型部分の一例を示す部分写真である。
【発明を実施するための形態】
【００２０】
以下、本発明について説明するが、本発明は、以下の具体的形態に限定されるものではなく、技術的思想の範囲内で任意に変形することができる。
【００２１】
本発明のポールハンガー１１は、支持台３１に対して垂直に設けられた軸棒３２に上から差し込めるような透孔２２が上面から下面に向けて設けられた柱状のポールハンガー部材２１を、該軸棒３２に上から順次、複数個を差し込んで積み重ねてなるポールハンガー１１である。
【００２２】
図１に示すように、本発明のポールハンガー１１は、最下部にポールハンガーのポール部分が倒れないように支える支持台３１が存在する。該支持台３１の形態については、特に限定はなく、ポール部分が倒れないように支持できるものであればよい。通常のポールハンガーに用いられているものを好適に使用できる。例えば、図１のように板状のものでもよいし、３本以上の棒が真横に伸びてポール部分が倒れないようにしたものでもよいし、三脚状のものでもよい。
上記「板状のもの」は、図１に示したように円盤状のもの（底面が円形のもの）でもよいし、底面が多角形の板状のものでもよい。また、「板状」とは、台形状の板状でもよい。
上記「３本以上の棒が真横に伸びてポール部分が倒れないようにしたもの」は、互いに１２０°方向に伸びた３本の棒、互いに９０°方向に伸びた４本の棒、互いに７２°方向に伸びた５本の棒、互いに６０°方向に伸びた６本の棒、等で支えるようにしたものでもよい。
上記「三脚状のもの」は、３本の棒でできているものでもよいし、３角錐状のものでもよい。
【００２３】
本発明のポールハンガー１１は、上記支持台３１の上にポール部分が存在する。ポールハンガーの該ポール部分（の少なくとも一部）は、ポールハンガー部材２１を複数個積み重ねてなる。
ポール部分は、下から上まで全て、「ポールハンガー部材を複数個積み重ねてなる部分」で構成されていてもよいし、また、図１及び図４に示したように、「ポール部分」が、ハンガー枝２３が設けられていない「下部ポール３３」と、その上の「ポールハンガー部材を複数個積み重ねてなる部分」とからなるものでもよい。
すなわち、前者では、ポール部分の下から上までポールハンガー部材２１でできているので統一感がある。
一方、ポール部分の下側は、一般に衣類等を引掛けるには適していないので、ハンガー枝２３が設けられたポールハンガー部材２１はあまり必要がないので、後者のように、「ハンガー枝２３がない下部ポール３３」が存在する方が、機能的でコストもかからず無駄がない（例えば、図１、図４）。
【００２４】
すなわち、本発明の好ましい態様は、支持台３１の上部に該支持台３１から垂直に設けられた下部ポール３３が存在し、該下部ポール３３の上部に、ポールハンガー部材２１が差し込めるようになっている軸棒３２が垂直に設けられているポールハンガーである。
【００２５】
本発明のポールハンガー１１の高さは、ポールハンガー１１としての機能を発揮すれば特に限定はないが、１４０〜２１０ｃｍが好ましく、１５０〜２００ｃｍがより好ましく、１６０〜１９０ｃｍが特に好ましい。
【００２６】
「ポールハンガー部材を複数個積み重ねてなる部分」（Ａ）と「下部ポール３３」（Ｂ）の長さの比率は特に限定はないが、［ポール部分の長さ（Ａの長さとＢの長さの合計）］に対する［Ａの長さ］は、３０〜９０％が好ましく、３５〜８０％がより好ましく、４０〜７０％が特に好ましく、４５〜６０％が更に好ましい。
［Ａの長さ］の割合が小さ過ぎると、上だけにポールハンガー部材２１があることになるので、ハンガー枝２３の数が少なくなり過ぎて、そこに引掛けておける衣類等の数が限定される。一方、［Ａの長さ］の割合が大き過ぎると、ポールの下の方まで「ハンガー枝２３の設けられたポールハンガー部材２１」が存在することになり無駄である。
【００２７】
図１に示したように、本発明のポールハンガー１１では、柱状のポールハンガー部材２１が、支持台３１に対して垂直に設けられた軸棒３２に上から差し込めるようになっている。図２に示したように、ポールハンガー部材２１には、透孔２２が上面から下面に向けて設けられており、複数個のポールハンガー部材２１を、該透孔２２を利用して該軸棒３２に上から順次差し込んで積み重ねて、本発明のポールハンガーのポール部分を形成する。
【００２８】
ポールハンガー部材２１は、上記した下部ポール３３が下にある場合には、３〜２５個の範囲で積み重ねてポール部を形成することが好ましく、５〜２０個の範囲がより好ましく、７〜１６個の範囲が特に好ましく、９〜１３個の範囲が更に好ましい。
また、上記した下部ポール３３が下になく、略全てのポール部分がポールハンガー部材２１で構成されている場合には、好ましい範囲、特に好ましい範囲等は、上記範囲の２倍となる。
【００２９】
個々のポールハンガー部材２１は柱状をしているが、その高さＨ（図２参照）については、特に限定はないが、３〜３０ｃｍが好ましく、４〜２２ｃｍがより好ましく、５〜１５ｃｍが特に好ましく、６〜１０ｃｍが更に好ましい。
【００３０】
ポールハンガー部材の高さＨは、個々で異なっていてもよく、異なった長さのポールハンガー部材２１を複数個積み重ねてポール部分を形成していてもよい。
ハンガー枝２３に配置される模型２５の高さが大きく異なる場合には、個々のポールハンガー部材の高さＨは、該模型２５の高さに合わせて調整することも好ましい。特に、該模型２５が実物大の鳥や小哺乳動物等の模型２５である場合には、該模型２５の高さが必然的にまちまちになるので、その上のポールハンガー部材２１に設けられたハンガー枝２３が、（該ハンガー枝２３を水平に１回転させても）該模型２５の上部にぶつからないように、ポールハンガー部材の高さＨは該模型２５の高さに合わせて、個々に変化させることが好ましい。
【００３１】
一方、ポールハンガー部材２１としての統一感を得るためには、図１及び図４に示したように、ポールハンガー部材の高さＨが全て同一で、同じ長さのポールハンガー部材２１を複数個積み重ねて、１つのポール部分を形成することが好ましい。
例えば、使用者が「気に入った模型２５が配置されたポールハンガー部材」を１個だけ購入し、既に所有している本発明のポールハンガー１１に組み入れる場合、すなわち、個々のポールハンガー部材２１ごとに購入する場合等は、ポールハンガー部材の高さＨが全て同一の方が、１つのポールハンガー１１に使用するものとしての統一感が出るので好ましい。
【００３２】
前記のポールハンガー部材２１を積み重ねる数が少な過ぎたり、個々のポールハンガー部材の高さＨが高過ぎたりすると、衣類等を引掛けるハンガー枝２３の数が少なくなり機能的でなくなる場合がある。
一方、前記のポールハンガー部材２１を積み重ねる数が多過ぎたり、個々のポールハンガー部材の高さＨが低過ぎたりすると、衣類等を引掛けるハンガー枝２３の太さが制限され、太いハンガー枝２３が使用できなくなったり、積み重ねる数やポールハンガー部材２１の個数が多くなり過ぎて煩わしくなったりする。
【００３３】
図１に示したように、本発明のポールハンガー１１では、柱状のポールハンガー部材２１が差し込まれる軸棒３２が存在する。前記した下部ポール３３がない場合には、該軸棒３２は支持台３１の上に直接存在し、前記した下部ポール３３がある場合には、該軸棒３２は下部ポール３３の上に存在する。
【００３４】
軸棒３２が上から露出しないように、該軸棒３２の長さは、ポールハンガー１１の好適な高さや、前記［Ａの長さ］を勘案して決められるが、図１に示したように、一番上のポールハンガー部材２１が差し込め、かつ軸棒３２が上から露出しないような長さになっていることが好ましい。
一番上のポールハンガー部材２１の上には、該ポールハンガー部材の透孔２２を塞ぎ、軸棒３２の露出を避ける、蓋の役目をする部材があってもよい。
【００３５】
前記した下部ポール３３がある場合には、前記軸棒３２の長さは、５５〜１２０ｃｍが好ましく、６０〜１１０ｃｍがより好ましく、６５〜９０ｃｍが特に好ましい。前記した下部ポール３３がない場合には、前記軸棒３２の長さは、１４０〜２１０ｃｍが好ましく、１５０〜２００ｃｍがより好ましく、１６０〜１９０ｃｍが特に好ましい。
【００３６】
軸棒３２の太さ（直径）と、ポールハンガー部材２１の上面から下面に向けて設けられた透孔２２の太さ（透孔の直径Ｄ）（図２参照）とは、特に限定はないが、１〜４ｃｍが好ましく、１．３〜３ｃｍがより好ましく、１．７〜２．５ｃｍが特に好ましい。
太過ぎると、ポールハンガー部材２１に開けられたハンガー枝差し込み穴２４の深さが制限されるので、ハンガー枝２３が強固に固定できない場合があり、また、ポールハンガー部材２１の体積と重量が小さくなるので、ポールハンガー部材２１の強度が弱くなったり、個々のポールハンガー部材２１を卓上置物２７として使用するときに、模型２５が配置されたハンガー枝２３の重さで該ハンガー枝側に倒れたりする場合がある。
一方、細過ぎると、軸棒３２の強度が弱くなったり、積み重ねられた複数のポールハンガー部材２１がぐらぐらしたりする場合がある。
【００３７】
軸棒３２の太さ（直径）と、ポールハンガー部材２１の上面から下面に向けて設けられた透孔の太さ（透孔の直径Ｄ）は、略同一であることが、ポールハンガー部材２１がガタガタしないために好ましいが、本発明のポールハンガー１１は、ハンガー枝２３が自由に方向を変えられる（自由に回転できる）ことが特徴であるから、軸棒３２の太さ（直径）より透孔の太さ（直径Ｄ）の方がわずかに（例えば、直径で、０．１〜１ｍｍ）大きいことが好ましい。
【００３８】
ポールハンガー部材２１は、柱状であり、円柱状でも角柱状でもよいが、円柱状であることが、鳥等を模型２５として配したときに、実際の樹木のようでもあり好ましい。
ポールハンガー部材２１は、円柱状であっても角柱状であっても、その上面と下面の横差し渡し長さＬ（最長の対角線の長さ、円柱状の場合はその直径）（図２参照）が４ｃｍ以上１５ｃｍ以下であることが好ましく、４．５ｃｍ以上１０ｃｍ以下であることがより好ましく、５ｃｍ以上８ｃｍ以下であることが特に好ましい。
【００３９】
該横差し渡し長さＬが小さ過ぎると、ポールハンガー部材２１に開けられたハンガー枝差し込み穴２４の深さが制限されるので、ハンガー枝２３が強固に固定できない場合があり、また、ポールハンガー部材２１の強度が弱くなったり、個々のポールハンガー部材２１を卓上置物２７として使用するときに、模型２５が配置されたハンガー枝２３の重さで該ハンガー枝側に倒れたりする場合がある。
一方、大き過ぎると、ポールが太くなり過ぎ、ポール部全体として重量が重くなり過ぎ、ポールハンガー１１として無駄に重量が大きくなる。
本発明におけるポールハンガー部材２１は、その上面又は下面の横差し渡し長さＬが４ｃｍ以上１５ｃｍ以下であり、かつ、その高さＨが３ｃｍ以上３０ｃｍ以下のものであることが好ましい。
【００４０】
例えば、使用者が個々のポールハンガー部材２１ごとに別々に購入・入手する場合を考慮して、ポールハンガー部材の横差し渡し長さＬは、全て同一の方が、又は、全て同一規格にしておいた方が、それを積み重ねて得られるポールが凸凹せず、１つのポールハンガー１１に使用するものとしての統一感が出るので好ましい。
【００４１】
本発明のポールハンガー１１においては、積み重ねられた複数個のポールハンガー部材２１に、その側面に引掛物を引掛けるハンガー枝２３が設けられたものがあり、該ハンガー枝２３には、引掛物を引掛けるのに邪魔にならない程度にその先端から離れた位置に模型２５が配置されているものであることを特徴とする。
【００４２】
ハンガー枝２３のポールハンガー部材２１への固定は、特に限定はなく、差し込み固定であっても、接着剤等で固定されていても、ハンガー枝２３とポールハンガー部材２１が一体で製造されていてもよい。
図２に示したように、ポールハンガー部材２１の側面に、ハンガー枝２３を差し込んで固定するための「ハンガー枝差し込み穴２４」があり、ハンガー枝２３をそこに差し込んで固定することが好ましい。
ハンガー枝差し込み穴の直径ｄ（図２参照）とハンガー枝２３の太さは、略同一であることが好ましく、具体的には、０．６〜３ｃｍが好ましく、０．８〜２．５ｃｍがより好ましく、１〜２ｃｍが特に好ましい。
【００４３】
ハンガー枝２３の太さが細過ぎると、ハンガー枝２３の強度が弱くなり、衣類等を引掛けたときに折れたりひびが入ったり曲がったりする場合がある。
一方、太過ぎると、個々のポールハンガー部材２１を卓上置物２７として使用するときに、該卓上置物がハンガー枝２３の重さで該ハンガー枝側に倒れたりする場合がある。
【００４４】
ハンガー枝２３は、ポールハンガー部材２１の側面に設けられるが、略真横方向に設けられるか、水平方向から上向きになす角度として、１〜４５°（より好ましくは３〜３０°、特に好ましくは５〜２０°）の範囲で設けられていることが望ましい。
図１〜５に示すように、ハンガー枝２３がポールハンガー部材２１の側面の真横方向（上記角度が０°）に設けられていることが、模型２５が固定し易く落下し難く、見た目もシンプルであるために特に好ましい。
上記角度は、真横（０°）も含めて、ポールハンガー部材２１ごとに異なっていてもよい。
【００４５】
ハンガー枝２３の先端又は途中に、フック、膨らみ、窪み、Ｌ字具、天然の木の枝の樹皮のような加工等の、引掛物を引掛けた際に落ち難い部材や装飾用の部材があってもよい。
また、ハンガー枝２３には、後述する模型２５を固定できるような、穴、窪み、凹凸部、治具２６があっても、取り付けられていてもよい。
【００４６】
ポールハンガー部材２１には、図３及び図４に示したようにハンガー枝２３が１本だけ設けられていてもよく、複数本設けられていてもよい。また、図１に示したようにハンガー枝２３が設けられていないポールハンガー部材２１があってもよい。
通常のポールハンガーは、２〜４本のハンガー枝２３が、ポールハンガーの同じ高さの位置から異なる方向に向けて、互いに等角度で設けられているものが多い。しかし、本発明におけるポールハンガー部材２１は自由に回転するので、また、模型２５を同一の高さに（１つのポールハンガー部材２１に）１つ配置することが好ましいので、ハンガー枝２３が設けられているポールハンガー部材２１には、図３及び図４に示したように、ハンガー枝２３が１本だけ設けられていることが特に好ましい。
【００４７】
配置された模型２５の高さが、１個のポールハンガー部材の高さＨの２倍弱の場合は、その直ぐ上のポールハンガー部材２１にはハンガー枝２３がない方が、すなわちハンガー枝２３が設けられていないポールハンガー部材２１を配置させた方が、模型２５の上部（頭等）がハンガー枝２３にぶつかる恐れがないために好ましい。
また、配置された模型２５の高さが、１個のポールハンガー部材の高さＨの３倍弱の場合は、その上のポールハンガー部材２１の少なくとも２個にはハンガー枝２３がない方が、模型２５の頭がハンガー枝２３にぶつかる恐れがないために好ましい。
すなわち、ポールハンガー部材２１の幾つかは、ハンガー枝２３が設けられていないポールハンガー部材２１であることが上記理由から好ましい。また、ハンガー枝２３が多過ぎると、衣類等を引掛けるのにお互いに邪魔になったりするので、ポールハンガー部材２１の幾つかは、ハンガー枝２３が設けられていないポールハンガー部材２１であることが好ましい。「ハンガー枝２３が設けられていないポールハンガー部材２１」には、ハンガー枝差し込み穴２４があってもなくてもよい。
【００４８】
本発明におけるポールハンガー部材２１は、特にハンガー枝２３に模型２５が配置されているハンガー部材は、それ単独で卓上置物２７として使用できるものであることが好ましい。すなわち、１個のポールハンガー部材２１をポールハンガー１１の軸部から抜き出して、卓上置物２７としても使用することができる。
従って、その場合、ポールハンガー部材２１を平面上に置いたときに倒れないようなものであることが要求される。「模型２５が配置されたハンガー枝２３が設けられた上記ポールハンガー部材」は、１個のポールハンガー部材２１だけを、その下面を下にして平面上に置いたときに倒れないような重さ設計になっていることが好ましい。
【００４９】
倒れないような重さ設計にするには、ポールハンガー部材２１の上面と下面の横差し渡し長さＬを、ポールハンガー部材の高さＨとの兼ね合いで長めにする、ポールハンガー部材２１の重さを重めにする、ハンガー枝２３をポールハンガー部材２１の側面の下側に設ける、ハンガー枝２３を細くする又は短くする又は軽くする、模型２５を軽くする又はハンガー枝２３の根元側（ポールハンガー部材側）に配置する等の形態にする。
【００５０】
特に、図１〜４のように、ハンガー枝２３をポールハンガー部材２１の側面の下側に設けることが、１個のポールハンガー部材２１を立て掛けたときに倒れ難いために好ましい。図５のように、ハンガー枝２３がポールハンガー部材２１の側面の上側に設けられていると倒れ易い場合がある。
すなわち、本発明のポールハンガー１１において、ハンガー枝２３が設けられた柱状のポールハンガー部材２１には、該ポールハンガー部材２１の側面の真中より下側に、上記ハンガー枝２３が略横方向に向けて設けられていることが、卓上置物２７として使用したときに倒れ難いために好ましい。
【００５１】
本発明におけるポールハンガー部材２１に設けられたハンガー枝２３には、衣類等の引掛物を引掛けるのに邪魔にならない程度に、ハンガー枝２３の先端から離れた位置に模型２５が配置されている。
「衣類等の引掛物を引掛けるのに邪魔にならない程度に、ハンガー枝２３の先端から離れた位置」が要件であるから、模型２５は、ハンガー枝２３の完全に先端でなければ、そしてハンガー枝２３に衣類や帽子等を引掛けられるならば、ハンガー枝２３のどこにでも配置可能である。
ただ、模型２５の配置位置は、好ましくはハンガー枝２３の略中央、又は、図１、３、５に示したように、中央よりポールハンガー部材寄りである。特に好ましくは中央よりポールハンガー部材寄りである。その位置であると、引掛けるのに邪魔にならず、卓上置物２７として使用したときに倒れ難い。
【００５２】
本発明のポールハンガー１１の各構成部材の材質は、特に限定はないが、ポールハンガー部材２１とハンガー枝２３は、木、金属、樹脂等が好ましく、木が特に好ましい。また、支持台３１は、木、金属、樹脂、（人工）石等が好ましく、木が特に好ましい。また、軸棒３２は、木、金属、樹脂等が好ましく、金属が強度の点で特に好ましい。模型２５は、木、金属、樹脂等が好ましく、木が下記理由から特に好ましい。
【００５３】
ハンガー枝２３に配置される模型２５の対象が何であるかは特に限定はなく、哺乳類、鳥類、爬虫類、両生類、昆虫等の動物；乗り物、建物等の構造物；マスコット；漫画、アニメ、映画等のキャラクター；等が挙げられる。
ポールハンガー１１、ハンガー枝２３等が樹木のような外観を有しているので、それとマッチングしている点等から、該模型２５は、「木の枝にとまる又はのる動物」の模型２５であることが好ましい。「木の枝にとまる又はのる動物」としては、例えば、鳥；りす、ねこ等の小哺乳類；等が挙げられる。
【００５４】
上記模型２５が、鳥の模型２５であることがより好ましく、バードカービングによって彫刻された鳥の模型２５であることが特に好ましい。鳥の模型２５（特にバードカービング品）を使用することによって、本発明のポールハンガー１１は、生活の中の家具としてアートインライフを楽しめる。
本発明において、「バードカービング」とは、１個の木から鳥の形を削りだし、他の素材で細かい部分の細工を施してもよく、全体を彩色して本物の鳥に似せて模型２５を作ることを言う。例えば、足の部分には針金等、眼にはガラス素材等が使用されていてもよい。
【００５５】
模型２５を鳥の模型にすることは、鳥は実際（自然界でも）樹木の上にとまり、また、実物大にした場合でも、その大きさが本発明における模型２５の大きさとしてちょうど良いことから好適である。
更に、バードカービングによって彫刻された鳥の模型２５であると、ポールハンガー１１、ハンガー枝２３等が、そもそも樹木のような外観を有していることと、両者の材質も共通していることから、特にマッチングしていて特に好ましい。
また、バードカービングの作者の作品を揃えたり、自分の作品を使用したりして、本発明のポールハンガー１１を完成させることもできるため、上記模型２５はバードカービングによって彫刻された鳥の模型２５であることが特に好ましい。
【００５６】
更に、上記模型２５（好ましくは鳥の模型、より好ましくはバードカービングによって彫刻された鳥の模型）は、実物大であることが好ましい。実物大の鳥の模型２５の大きさが、サイズ的にも本発明のポールハンガー（部材）の大きさにマッチングしている。
【００５７】
本発明のポールハンガー１１は、その構成部材である、ポールハンガー部材２１や、模型２５が配置されたハンガー枝２３や、模型２５を、個々に買い足したり独自に製作したりして、増やす又は交換して楽しむことができる。
また、教育的なものとしても使用可能であり、例えば、バードウォッチングをしたときでも、日頃から見慣れた鳥であれば、見つけた鳥の名前が分かり、一層バードウォッチングを楽しめる。
【００５８】
本発明の他の態様は、本発明の前記ポールハンガー用の模型２５であって、該模型２５の下部には上記ハンガー枝２３に固定できるような治具２６が取り付けられていることを特徴とする木の枝にとまる又はのる動物の模型２５である。
本発明のポールハンガー１１は、それ用の上記模型２５を、個々に買い足すことができ、また、自分で製作して使用したり譲渡したりできる。
【００５９】
該模型２５の下部には上記ハンガー枝２３に固定できるような治具２６が取り付けられている。該治具２６は、特に限定はないが、針金、ピン等が使用できる。また、鳥等の足自体が該治具２６を兼ねていてもよい。本発明のポールハンガー用の模型２５であれば、上記技術的思想の範囲に含まれる。
【００６０】
本発明の他の態様は、本発明の前記ポールハンガー１１に用いられるポールハンガー部材２１を有してなり、該ポールハンガー部材２１に設けられたハンガー枝２３に模型２５が配置されてなるものであることを特徴とする卓上置物２７である。
本発明の卓上置物２７は、卓上のみならず、陳列棚、本棚、出窓、テーブル、置物台、机上等に置くことができ、卓上に置くものに限定されない。
【００６１】
卓上置物２７は、ある時はポールハンガー部材２１としてポールハンガー１１に用い、ある時は個々に卓上置物として使用できる。本発明のポールハンガー１１の構成部材であるポールハンガー部材２１を抜き出して卓上置物２７として使用したり、卓上置物２７として個々に買い足したり製作したりすることができる。
卓上置物２７としても使用することにより、鳥等の名前と形態を覚えられ、教育的なものとなると共に、アートインライフが可能になる。
【産業上の利用可能性】
【００６２】
本発明のポールハンガーは、実用的であり趣味的であり教育的でもあるため、家具製造販売分野のみならず、趣向（趣味）品製造販売分野、教育分野等に広く利用されるものである。
【符号の説明】
【００６３】
１１  ポールハンガー
２１  ポールハンガー部材
２２  透孔
２３  ハンガー枝
２４  ハンガー枝差し込み穴
２５  模型
２６  治具
２７  卓上置物
３１  支持台
３２  軸棒
３３  下部ポール
Ｈ  ポールハンガー部材の高さ
Ｌ  ポールハンガー部材の横差し渡し長さ
Ｄ  透孔の直径
ｄ  ハンガー枝差し込み穴の直径
【図１】
2016220818.tif 000003
【図２】
2016220818.tif 000004
【図３】
2016220818.tif 000005
【図４】
2016220818.tif 000006
【図５】
2016220818.tif 000007